(57)【要約】【課題】利用者の要望に合った画像を撮影させることが可能な撮影補助システム、該システムに用いるデジタルカメラ、及びサーバを提供すること。【解決手段】位置情報を取得する位置情報取得部１１０と、位置情報取得部１１０によって取得した位置情報を画像提供サーバ１０３に送信する送受信部１０９と、画像提供サーバ１０３に送信した位置情報に応じたテンプレート画像を受信する送受信部１０９と、送受信部１０９で受信したテンプレート画像と被写体映像とを合成してディスプレイに表示させる画像合成部１１２とを有するデジタルカメラ１００と、デジタルカメラ１００から送信されてくる位置情報に応じた、デジタルカメラ１００に送信する為のテンプレート画像を記録する記録部１０５を有する画像提供サーバ１０３とを備えることを特徴とする。【選択図】　図１
2004015187.tif 000002
【特許請求の範囲】
【請求項１】
位置情報を取得する位置情報取得手段と、前記取得した位置情報を送信する位置情報送信手段と、前記位置情報に応じたテンプレートを受信するテンプレート受信手段と、前記受信したテンプレートと被写体映像とを合成する合成手段とを有するデジタルカメラと、
前記位置情報送信手段によって送信されてくる位置情報に応じた、前記デジタルカメラに送信する為のテンプレートを保存する保存手段を有するサーバとを備えることを特徴とする撮影補助システム。
【請求項２】
サーバに送信されてくる位置情報に応じたテンプレートを、前記サーバが前記位置情報の送信元に送信する撮影補助システムに用いるデジタルカメラであって、
前記位置情報を取得する位置情報取得手段と、
前記取得した位置情報を前記サーバに送信する位置情報送信手段と、
前記位置情報に応じたテンプレートを受信するテンプレート受信手段と、
前記受信したテンプレートと被写体映像とを合成する合成手段とを備えることを特徴とするデジタルカメラ。
【請求項３】
端末から送信されてくる前記端末の位置情報に応じた、前記端末に送信する為のテンプレートを保存する保存手段を備えることを特徴とするサーバ。
【発明の詳細な説明】
【０００１】
【発明の属する技術分野】
本発明は、位置情報に応じた撮影の補助を行う撮影補助システム、該システムに用いるデジタルカメラ、及びサーバに関する。
【０００２】
【従来の技術】
従来、テーマパーク等の施設内においてデジタルカメラで撮影された画像を無線により基地局に転送し、サービスセンタ側が、転送された画像にテンプレート等を合成して出力し、最終的にサービスセンタでプリントを受けるサービスが提案されている。
【０００３】
【発明が解決しようとする課題】
しかしながら、上記従来のサービスでは、ある場所でデジタルカメラの使用者が撮影を行う際、後に提供される合成画像がどのような画像になるのかを確認することができなかった。仮に、テンプレート画像にどのようなものが存在するかをサービスセンタで事前に確認できたとしても、そのテンプレート画像と実際の撮影画像とを合成したときの完成画像というものは確認することはできなかった。この為、実際の完成画像とサービス利用者のイメージする完成画像とが異なる可能性が生じてしまうという問題点があった。
【０００４】
本発明は、上記問題点に鑑みて為されたものであり、利用者の要望に合った画像を撮影させることが可能な撮影補助システム、該システムに用いるデジタルカメラ、及びサーバを提供することを目的とする。
【０００５】
【課題を解決するための手段】
本発明の撮影補助システムは、位置情報を取得する位置情報取得手段と、前記取得した位置情報を送信する位置情報送信手段と、前記位置情報に応じたテンプレートを受信するテンプレート受信手段と、前記受信したテンプレートと被写体映像とを合成する合成手段とを有するデジタルカメラと、前記位置情報送信手段によって送信されてくる位置情報に応じた、前記デジタルカメラに送信する為のテンプレートを保存する保存手段を有するサーバとを備えることを特徴とする。
【０００６】
この構成により、テンプレートと被写体映像との合成映像を確認しながら撮影を行うことで、要望に合った画像を取得することが可能になる。
【０００７】
本発明のデジタルカメラは、サーバに送信されてくる位置情報に応じたテンプレートを、前記サーバが前記位置情報の送信元に送信する撮影補助システムに用いるデジタルカメラであって、前記位置情報を取得する位置情報取得手段と、前記取得した位置情報を前記サーバに送信する位置情報送信手段と、前記位置情報に応じたテンプレートを受信するテンプレート受信手段と、前記受信したテンプレートと被写体映像とを合成する合成手段とを備えることを特徴とする。
【０００８】
本発明のサーバは、端末から送信されてくる前記端末の位置情報に応じた、前記端末に送信する為のテンプレートを保存する保存手段を備えることを特徴とする。
【０００９】
【発明の実施の形態】
以下、本発明の実施形態について図面を参照して説明する。以下では、例えばディズニーランドのようなテーマパーク等で本システムを使用する場合を例に説明する。
【００１０】
図１は、本発明の実施形態に係る画像提供システムの構成図である。
画像提供システム１は、本システムの利用者に有料又は無料で貸し出されるデジタルカメラ１００、テーマパーク内のエリア毎に配置される無線基地局１０１、及び画像提供サーバ１０３を有するサービスセンタ１０２を備える。デジタルカメラ１００は、無線基地局１０１と有線又は無線により通信を行う。無線基地局１０１は、画像提供サーバ１０３と有線又は無線により通信を行い、自局の通信エリア内にデジタルカメラ１００が存在するときは、デジタルカメラ１００から送信される位置情報を画像提供サーバ１０３に送信する。
【００１１】
デジタルカメラ１００は、特許請求の範囲の位置情報送信手段及びテンプレート受信手段に該当する送受信部１０９、特許請求の範囲の位置情報取得手段に該当する位置情報取得部１１０、特許請求の範囲の合成手段に該当する画像合成部１１２、及び制御部１１１を備える。
【００１２】
送受信部１０９は、画像提供サーバ１０３から送信される、デジタルカメラ１００の位置情報に応じたテンプレート画像や説明文等を受信したり、受信したテンプレート画像や説明文を利用して撮影した画像及び位置情報等を画像提供サーバ１０３に送信したりする。
【００１３】
位置情報取得部１１０は、位置情報取得アンテナ１１３を介して、通信を行う無線基地局１０１から送信される無線データに基づいて現在の位置情報を取得する。画像合成部１１２は、制御部１１１の制御により、送受信部１０９で受信したテンプレート画像や説明文を実際の被写体映像に合成して図示しないディスプレイに表示させる。制御部１１１は、送受信部１０９、位置情報取得部１１０、及び表示部１１２を制御する。
【００１４】
画像提供サーバ１０３は、送受信部１０４、特許請求の範囲の保存手段に該当する記録部１０５、画像合成部１０６、画像提供部１０７、及び制御部１０８を備える。
【００１５】
送受信部１０４は、記録部１０５に記録されるデジタルカメラ１００の位置情報に対応したテンプレート画像や説明文等をデジタルカメラ１００に送信したり、デジタルカメラ１００から送信されてくる画像を受信したりする。
【００１６】
記録部１０５には、位置情報（エリア）毎のテンプレート画像や説明文等が記録されている。画像合成部１０６は、デジタルカメラ１００から送信されてくる撮影された画像とデジタルカメラ１００の位置情報に応じたテンプレート画像や説明文とを合成する。画像提供部１０７は、合成後の画像を画像提供システム１の利用者に提供する。制御部１０８は、送受信部１０４、記録部１０５、画像合成部１０６、及び画像提供部１０７を制御する。
【００１７】
図２は、テーマパーク内のエリア分割例を示す図である。
同図に示したように、テーマパークはＡ〜Ｄの４つのエリアに分割され、各エリアには１つずつアトラクションが存在する。又、各エリアにはそれぞれのエリアをカバーするように無線基地局１０１が設置される。尚、画像提供サーバ１０３の記録部１０５には、エリアＡ〜Ｄのそれぞれに対応した少なくとも１つのテンプレート画像や説明文が記録されている。ここで、説明文とは、各エリアにあるアトラクションを説明する文や撮影日時を説明する文等である。
【００１８】
図３は、記録部１０５に記録されているテンプレートの一例を示す図である。本実施形態ではエリアＢにキャラクタのアトラクションがある為、同図に示したように、エリアＢのテンプレートにはキャラクタの画像が背景に表示されている。このように、記録部１０５には、各エリアに存在するアトラクションに応じたテンプレートが記録されている。
【００１９】
画像提供部１０７は、合成画像をプリントアウトしたり、合成画像をメディアに保存して利用者に提供したり、合成画像をウェブサイトからダウンロードできるようにしたりすることで合成画像の提供を行っている。尚、これらの提供方法は、利用者によって事前に選択可能である。
【００２０】
次に、利用者が合成画像を取得するまでの動作について説明する。
図４は、画像提供システムの利用者が合成画像を受け取るまでの流れを説明するシーケンスチャートである。
【００２１】
まず、本システムの利用者は、サービスセンタ１０２においてデジタルカメラ１００をレンタルし、合成画像をどのようにして受け取るかを選択する。その後、利用者がエリアＢ内でデジタルカメラ１００の電源を投入すると、デジタルカメラ１００は、自身の位置情報を取得し（Ｓ４０１）、取得した位置情報を無線基地局１０１に送信する（Ｓ４０２）。画像提供サーバ１０３は、デジタルカメラ１００がエリアＢに存在することを無線基地局１０１から送信される位置情報により判断し（Ｓ４０３）、エリアＢに対応したテンプレート画像や説明文を無線基地局１０１を介してデジタルカメラ１００に送信する（Ｓ４０４）。
【００２２】
デジタルカメラ１００では、送信されてきたテンプレート画像や説明文と被写体画像とが合成された映像がディスプレイに表示され（Ｓ４０５）、画像提供システム１の利用者は、この映像を見ながら自由にデジタルカメラ１００を移動させて、テンプレート上における被写体の位置等を決定して撮影を行う（Ｓ４０６）。このときのディスプレイ表示例を図５に示す。図５に示したように、デジタルカメラ１００のディスプレイには、画像提供サーバ１０３から送信されてきたテンプレート画像と実際の被写体映像とが合成された映像が表示される。
【００２３】
撮影が終了すると、利用者は撮影した画像が必要かどうか判断し、必要な場合は、撮影した画像を画像提供サーバ１０３に送信する（Ｓ４０７）。一方、不要な場合は、撮影した画像を破棄する。画像送信後、撮影を続行する場合は、利用者は再び映像を見ながら撮影を行う。尚、利用者が仮に隣のエリアＡに移動した場合は、Ｓ４０１〜Ｓ４０７と同様の流れで、エリアＡに対応したテンプレートと被写体映像とが合成された映像を確認しながら撮影を行う。
【００２４】
撮影終了後、利用者はサービスセンタ１０２にデジタルカメラ１００を返却し、始めに選択した方法で、合成画像を受け取る。このとき利用者が受け取る合成画像は、撮影時にディスプレイに表示されていた画像と同一となる。この為、実際の完成画像と利用者のイメージする完成画像とが異なるということがなくなる。したがって、本実施形態によれば、利用者にとって有用な画像提供サービスを行うことができる。
【００２５】
尚、上記の説明では、無線基地局１０１からの位置情報に基づいてデジタルカメラ１００の存在するエリアを判断しているが、デジタルカメラ１００に更にＧＰＳ機能を持たせ、デジタルカメラ１００から送信されるＧＰＳ情報と無線基地局１０１からの位置情報とに基づいて、画像提供サーバ１０３が、デジタルカメラ１００の存在する位置を判断しても良い。
【００２６】
例えば、同一エリア内に複数のアトラクションが存在する場合等は、無線基地局１０１からの位置情報だけでは、どのアトラクションの近くにデジタルカメラ１００が存在するかを判断できない。そこで、デジタルカメラ１００のＧＰＳ情報に基づいて詳細な位置を把握することで、無線基地局１０１からの位置情報では把握できなかった詳細な位置情報を得ることができ、アトラクションに応じた適切なテンプレートや説明文等をデジタルカメラ１００に送信することができる。
【００２７】
又、画像提供サーバ１０３からデジタルカメラ１００に送信するテンプレートは、そのテンプレート上のどの位置に実際の撮影画像が合成されるかを判断できれば十分である。したがって、デジタルカメラ１００に送信するテンプレートは、実際に利用者に提供されるテンプレートを簡易化（例えば、低画質化）したものとすれば良い。このようにすることで、通信量を少なくすることができる。
【００２８】
又、本実施形態では、画像提供サーバ１０３側でテンプレートと撮影された画像との合成を行っているが、デジタルカメラ１００側でテンプレートと撮影した画像とを合成した画像を画像提供サーバ１０３に送信するようにしても良い。
【００２９】
又、本実施形態では、テーマパークにおける画像提供システムについて説明したが、これ以外にも、例えば、全国の観光スポット毎に無線基地局を設置して、その観光スポットに応じたテンプレートをデジタルカメラに送信するようなシステムも考えられる。
【００３０】
【発明の効果】
本発明によれば、利用者の要望に合った画像を撮影させることが可能な撮影補助システム、該システムに用いるデジタルカメラ、及びサーバを提供することができる。
【図面の簡単な説明】
【図１】本発明の実施形態に係る画像提供サービスシステムの構成図である。
【図２】テーマパークのエリア分割例を示す図である。
【図３】記録部に記録されているテンプレートの一例を示す図である。
【図４】画像提供サービスシステムの利用者が画像を受け取るまでの流れを説明する為のシーケンスチャートである。
【図５】撮影時におけるデジタルカメラのディスプレイ表示例を示す図である。
【符号の説明】
１　画像提供システム
１００　デジタルカメラ
１０１　無線基地局
１０２　サービスセンタ
１０３　画像提供サーバ
１０４　送受信部
１０５　記録部
１０６，１１２　画像合成部
１０７　画像提供部
１０８，１１１　制御部
１０９　送受信部
１１０　位置情報取得部
１１３　位置情報取得アンテナ
【図１】
2004015187.tif 000003
【図２】
2004015187.tif 000004
【図３】
2004015187.tif 000005
【図４】
2004015187.tif 000006
【図５】
2004015187.tif 000007